(57)【要約】【課題】監視対象近傍の環境調整機器を容易に把握することができる存在位置検出システムを提供する。【解決手段】監視領域内の監視対象１０の近傍から、送信側属性情報を送信する属性情報送信部１１ａ等と、監視領域内で互いに異なる領域の各々に設けられた属性情報受信部１２ａ等と、送信側属性情報を受信した属性情報受信部１２ａ等が設けられた領域内の環境調整機器４等の機器側属性情報に、送信側属性情報を対応付ける存在位置管理部１４と、を備えた。これにより、監視対象近傍１０の環境調整機器４等を容易に把握することができる。【選択図】図２
2012021661.tif 000002
【特許請求の範囲】
【請求項１】
監視領域内の監視対象の近傍から、送信側属性情報を送信する属性情報送信部と、
前記監視領域内で互いに異なる領域の各々に設けられた属性情報受信部と、
前記送信側属性情報を受信した属性情報受信部が設けられた領域内の環境調整機器の機器側属性情報に、前記送信側属性情報を対応付ける存在位置管理部と、
を備えたことを特徴とする存在位置検出システム。
【請求項２】
前記存在位置管理部は、隣接した属性情報受信部が前記送信側属性情報を受信した場合は、前記隣接した属性情報受信部の各々が設けられた領域内の環境調整機器の機器側属性情報に、前記送信側属性情報を対応付ける
ことを特徴とする請求項１記載の存在位置検出システム。
【請求項３】
前記存在位置管理部は、前記送信側属性情報を受信した属性情報受信部の位置に基づいて、前記属性情報送信部の位置を検出し、前記機器側属性情報と前記送信側属性情報との対応付けに、前記属性情報送信部の位置の検出時刻を対応付ける
ことを特徴とする請求項１又は請求項２に記載の存在位置検出システム。
【請求項４】
前記属性情報送信部は、  
前記送信側属性情報を送信させるための操作部、
を備え、
前記操作部が操作されていない場合は、前記送信側属性情報の送信を停止し、
前記操作部が操作された場合は、前記送信側属性情報を送信する
ことを特徴とする請求項１〜請求項３のいずれかに記載の存在位置検出システム。
【請求項５】
前記属性情報送信部は、前記送信側属性情報を送信中である旨を表示する
ことを特徴とする請求項１〜請求項４のいずれかに記載の存在位置検出システム。
【請求項６】
前記属性情報受信部は、前記属性情報送信部から前記送信側属性情報を受信中である旨及び前記存在位置管理部へ前記送信側属性情報を送信中である旨の少なくとも一方を表示する
ことを特徴とする請求項１〜請求項５のいずれかに記載の存在位置検出システム。
【発明の詳細な説明】
【技術分野】
【０００１】
この発明は、監視対象の位置を把握する存在位置検出システムに関するものである。
【背景技術】
【０００２】
監視対象の位置を把握するシステムとして、屋内の既知の位置に配置された複数の無線標識と監視対象とから受信した信号の到着時刻や電波強度に基づいて、監視対象の位置を算出するものが提案されている（例えば、特許文献１参照）。
【０００３】
また、屋内の天井と床とに対向する形で送受信アンテナを設定し、これらのアンテナによって時間をずらして送信させた信号に対する監視対象からの応答に基づいて、監視対象の位置を算出するものも提案されている（例えば、特許文献２参照）。
【先行技術文献】
【特許文献】
【０００４】
【特許文献１】特許第３７１０４１６号公報
【特許文献２】特開２００４−２９４３３８号公報
【発明の概要】
【発明が解決しようとする課題】
【０００５】
しかしながら、特許文献１及び特許文献２に記載のシステムでは、監視対象の位置を把握するだけで、監視対象近傍に配置された空調や照明等の環境調整機器を把握することができない。このため、ビルの管理者等は、監視対象近傍の環境調整機器をひとつひとつ調べて、監視対象と環境調整機器との関連付け作業を行う必要があった。
【０００６】
この発明は、上述のような課題を解決するためになされたもので、その目的は、監視対象近傍の環境調整機器を容易に把握することができる存在位置検出システムを提供することである。
【課題を解決するための手段】
【０００７】
この発明に係る存在位置検出システムは、監視領域内の監視対象の近傍から、送信側属性情報を送信する属性情報送信部と、前記監視領域内で互いに異なる領域の各々に設けられた属性情報受信部と、前記送信側属性情報を受信した属性情報受信部が設けられた領域内の環境調整機器の機器側属性情報に、前記送信側属性情報を対応付ける存在位置管理部と、を備えたものである。
【発明の効果】
【０００８】
この発明によれば、監視対象近傍の環境調整機器を容易に把握することができる。
【図面の簡単な説明】
【０００９】
【図１】この発明の実施の形態１における存在位置検出システムの構成図である。
【図２】この発明の実施の形態１における存在位置検出システムの詳細を説明するためのブロック図である。
【図３】この発明の実施の形態２における存在位置検出システムの構成図である。
【図４】この発明の実施の形態３における存在位置検出システムの概要を説明するためのブロック図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における存在位置検出システムの構成図である。
図１において、１はビルの部屋である。具体的には、部屋１は、Ａ棟の第１０フロアの第１部屋である。この部屋１は、複数の監視領域（エリア）に区分される。具体的には、部屋１の東側は、Ｅエリア２となっている。一方、部屋１の西側は、Ｗエリア３となっている。
【００１２】
Ｅエリア２の上部には、環境調整機器４が設けられる。この環境調整機器４は、空調装置５、照明装置６からなる。Ｗエリア３の上部にも、環境調整機器７が設けられる。この環境調整機器７は、空調装置８と照明装置９とからなる。
【００１３】
Ｅエリア２の下部とＷエリア３の下部とには、監視対象１０が位置している。この監視対象１０は、人あるいは物である。これらの監視対象１０の近傍には、ビル管理用存在位置検出システムの属性情報送信部１１ａ〜１１ｃが配置されている。これらの属性情報送信部１１ａ〜１１ｃは、監視対象１０の移動に追従して移動するものでもよいし、Ｅエリア２とＷエリア３とに予め設けられるものでもよい。
【００１４】
これに対し、存在位置検出システムの属性情報受信部１２ａ、１２ｂは、それぞれ、Ｅエリア２、Ｗエリア３の各々に設けられる。図１においては、属性情報受信部１２ａ、１２ｂは、それぞれ、環境調整機器４、７に近接して配置される。これらの属性情報受信部１２ａ、１２ｂは、無線あるいは有線の通信路１３を介して、存在位置検出システムの存在位置管理部１４に接続される。
【００１５】
上記構成の存在位置検出システムにおいては、属性情報送信部１１ａが送信した送信側属性情報は、無線あるいは有線の通信路１５を介して、属性情報送信部１１ａが位置するＥエリア２に配置された属性情報受信部１２ａに受信される。これに対し、属性情報送信部１１ｂ、１１ｃが送信した送信側属性情報は、通信路１５を介して、属性情報送信部１１ａが位置するＷエリア３に配置された属性情報受信部１２ｂに受信される。
【００１６】
これらの送信側属性情報は、存在位置管理部１４に向けて送信される。存在位置管理部１４は、送信側属性情報を受信した属性情報受信部１２ａ又は１２ｂの位置に基づいて、属性情報送信部１１ａ〜１１ｃの位置を検出する。これらの検出により、監視対象１０の位置が容易に把握される。
【００１７】
さらに、存在位置管理部１４は、監視対象１０と環境調整機器４又は７とを関連付ける。具体的には、送信側属性情報を受信した属性情報受信部１２ａ又は１２ｂが設けられたエリア内の環境調整機器４又は７の機器側属性情報に、当該送信側属性情報を対応付ける。この対応付けにより、監視対象１０近傍の環境調整機器４又は７が容易に把握される。
【００１８】
本実施の形態においては、Ｅエリア２の下部とＷエリア３の下部とに、センサ装置１６が設けられる。これらのセンサ装置１６は、超音波センサ、照度計、温度計、湿度計からなる。
【００１９】
存在位置検出システムの存在位置管理部１４とセンサ装置１６とは、コントローラ１７に接続される。このコントローラ１７は、存在位置検出システムの存在位置管理部１４とセンサ装置１６からの情報に基づいて、環境調整機器４、７を制御する。
【００２０】
具体的には、コントローラ１７は、存在位置検出システムの存在位置管理部１４からの情報に基づいて、送信側属性情報を受信した属性情報受信部１２ａ、１２ｂが設けられたエリア内の環境調整機器４又は７を把握する。その後、コントローラ１７は、把握した環境調整機器４又は７と同じエリア内のセンサ装置１６の超音波センサにより、監視対象１０が検出されているか否かを判断する。
【００２１】
監視対象１０が検出されている場合、コントローラ１７は、把握した環境調整機器４又は７を動作させる。その後、コントローラ１７は、認識した環境調整機器４又は７と同じエリア内のセンサ装置１６の温度計と湿度計との計測値に基づいて、空調装置５、８を制御する。また、コントローラ１７は、把握した環境調整機器４又は７と同じエリア内のセンサ装置１６の照度計の計測値に基づいて、照明装置６又は９を制御する。これらの制御により、監視対象１０に適した環境が提供される。
【００２２】
次に、図２を用いて、存在位置検出システムの構成の詳細を説明する。
図２はこの発明の実施の形態１における存在位置検出システムの詳細を説明するためのブロック図である。
【００２３】
まず、属性情報送信部１１ａ〜１１ｃの構成を説明する。
属性情報送信部１１ａ〜１１ｃは同様の構成である。そこで、図２では、属性情報送信部１１ａを中心に説明する。
属性情報送信部１１ａは、記憶部１８、操作部１９、送信情報生成部２０、送信部２１、表示部２２を備える。
【００２４】
記憶部１８は、属性情報を記憶する機能を備える。この属性装置は、属性情報送信部１１ａを所有する個人を識別するためのものでもよいし、属性情報送信部１１ａ自体を識別するためのものでもよい。図２では、属性情報は、送信側属性情報としての属性情報送信部ＩＤ「１」に、種別「Ａ」が対応付けられたものからなる。なお、図２には図示しないが、属性情報送信部１１ｂ、１１ｃの記憶部は、送信側属性情報として、それぞれ、属性情報送信部ＩＤ「２」、「３」を記憶する機能を備える。
【００２５】
操作部１９は、操作されることにより、属性情報の送信を起動する機能を備える。送信情報生成部２０は、操作部１９による起動に基づいて、記憶部１８に記憶された属性情報から属性情報送信部生成情報を生成する機能を備える。この属性情報送信部生成情報は、属性情報の一部である属性情報送信部ＩＤからなる。
【００２６】
送信部２１は、送信情報生成部２０が生成した属性情報送信部生成情報を送信する機能を備える。表示部２２は、属性情報送信部１１ａの動作状態を表示する機能を備える。
【００２７】
次に、属性情報受信部１２ａ、１２ｂの構成を説明する。
属性情報受信部１２ａ、１２ｂは同様の構成である。そこで、図２では、属性情報受信部１２ａを中心に説明する。
属性情報受信部１２ａは、記憶部２３、時刻管理部２４、受信部２５、送信情報生成部２６、送信部２７、表示部２８を備える。
【００２８】
記憶部２３は、属性情報を記憶する機能を備える。この属性情報は、受信側属性情報としての属性情報受信部ＩＤ「５」に、種別「Ｂ」が対応付けられたものからなる。なお、図２には図示しないが、属性情報受信部１２ｂの記憶部は、受信側属性情報として、属性情報受信部ＩＤ「１０」を記憶する機能を備える。
【００２９】
時刻管理部２４は、時刻情報を管理する機能を備える。受信部２５は、近傍の属性情報送信部１１ａ等の送信部２１が送信した属性情報送信部生成情報を受信する機能を備える。
【００３０】
送信情報生成部２６は、受信部２５に受信された属性情報送信部生成情報、記憶部２３に記憶された属性情報、時刻管理部２４に管理された時刻情報に基づいて、属性情報受信部生成情報を生成する機能を備える。この属情報受信部生成情報は、属性情報送信部ＩＤ、属性情報受信部ＩＤ、属性情報送信部１１ａ等と属性情報受信部１２ａとの接続時刻が対応付けられたものからなる。
【００３１】
送信部２７は、送信情報生成部２６に生成された属性情報受信部生成情報を送信する機能を備える。表示部２８は、属性情報受信部１２ａの動作状態を表示する機能を備える。
【００３２】
次に、存在位置管理部１４の構成を説明する。
存在位置管理部１４は、第１記憶部２９、第２記憶部３０、受信部３１、存在位置決定部３２、第３記憶部３３、関連付け決定部３４、第４記憶部３５、時刻同期部３６を備える。
【００３３】
第１記憶部２９は、位置管理情報を記憶する機能を備える。この位置管理情報では、棟区分、フロア区分、部屋区分、エリア区分に、位置ＩＤが対応付けられる。この位置ＩＤには、該当するエリアに設けられた属性情報受信部１２ａ等の属性情報受信部ＩＤが対応付けられる。
【００３４】
例えば、位置管理情報の最上段では、「Ａ」棟、第「１０」フロア、第「１」部屋、「Ｅ」エリアに、位置ＩＤ「１」が対応付けられる。この位置ＩＤ「１」には、Ｅエリア２に設けられた属性情報受信部１２ａの属性情報受信部ＩＤ「５」が対応付けられる。また、位置管理情報の上から３段目では、「Ａ」棟、第「１０」フロア、第「１」部屋、「Ｗ」エリアに、位置ＩＤ「３」が対応付けられる。この位置ＩＤ「３」には、Ｗエリア３に設けられた属性情報受信部１２ｂの属性情報受信部ＩＤ「１０」が対応付けられる。
【００３５】
同様に、「Ａ」棟、第「１０」フロア、第「１」部屋の他のエリアにも、位置ＩＤと属性情報受信部ＩＤとが対応付けられる。また、「Ｂ」棟のエリアについても、位置ＩＤと属性情報受信部ＩＤとが対応付けられる。
【００３６】
第２記憶部３０は、設備位置管理情報を記憶する機能を備える。この設備位置管理情報では、機器側属性情報としての空調装置５、８、照明装置６、９の設備ＩＤに、種別と位置ＩＤとが対応付けられる。これらの位置ＩＤは、空調装置５、８、照明装置６、９が設けられたエリアに対応したものである。
【００３７】
具体的には、設備位置管理情報の最上段では、空調装置５の設備ＩＤ「１」に、種別「空調」とＥエリア２の位置ＩＤ「１」とが対応付けられる。この直下では、空調装置８の設備ＩＤ「２」に、種別「空調」とＷエリア３の位置ＩＤ「３」とが対応付けられる。この直下では、照明装置６の設備ＩＤ「３」に、種別「照明」とＥエリア２の位置ＩＤ「１」とが対応付けられる。この直下では、照明装置９の設備ＩＤ「４」に、種別「照明」とＷエリア３の位置ＩＤ「３」とが対応付けられる。
【００３８】
受信部３１は、属性情報受信部１２ａ等の送信部２７が送信した属性情報受信部生成情報を受信する機能を備える。存在位置決定部３２は、受信部３１に受信された属性情報受信部生成情報と第１記憶部２９に記憶された位置管理情報とを対応付ける機能を備える。
【００３９】
具体的には、存在位置決定部３２は、位置管理情報の中から、属性情報受信部生成情報の属性情報受信部ＩＤと同じ属性情報受信部ＩＤを検出する。そして、存在位置決定部３２は、検出した属性情報受信部ＩＤに対応付けられた位置ＩＤを、属性情報受信部生成情報の属性情報送信部ＩＤと接続時刻とに対応付けて、存在位置管理情報を生成する。
【００４０】
第３記憶部３３は、存在位置決定部３２が生成した存在位置管理情報を記憶する機能を備える。関連付け決定部３４は、第２記憶部３０に記憶された設備位置管理情報と第３記憶部３３に記憶された存在位置管理情報とを対応付ける機能を備える。
【００４１】
具体的には、関連付け決定部３４は、設備位置管理情報の中から、存在位置管理情報の位置ＩＤと同じ位置ＩＤを検出する。そして、関連付け決定部３４は、検出した位置ＩＤに対応付けられた設備ＩＤを、存在位置管理情報の属性情報送信部ＩＤと接続時刻とに対応付けて、関連付け管理情報を生成する。
【００４２】
第４記憶部３５は、関連付け決定部３４が生成した関連付け管理情報を記憶する機能を備える。時刻同期部３６は、属性情報受信部１２ａ、１２ｂの時刻管理部２４に管理された時刻を同期させる機能を備える。
【００４３】
次に、図２を用いて、存在位置検出システムの動作の詳細を説明する。
まず、１０時１０分に、属性情報送信部１１ａ近傍の監視対象１０の位置を把握する場合を説明する。この場合、属性情報送信部１１ａの操作部１９を操作者が操作すると、属性情報送信部１１ａの送信情報生成部２０は、属性情報送信部生成情報３７を生成する。この属性情報送信部生成情報３７は、属性情報送信部ＩＤ「１」となる。
【００４４】
この属性情報送信部生成情報３７は、属性情報送信部１１ａの送信部２１によって送信される。このとき、属性情報送信部１１ａの表示部２２には、属性情報送信部１１ａが属性情報送信部生成情報３７を送信中である旨が表示される。
【００４５】
送信された属性情報送信部生成情報３７は、属性情報受信部１２ａの受信部２５に受信される。このとき、属性情報受信部１２ａの表示部２８には、属性情報送信部生成情報３７を受信中である旨が表示される。
【００４６】
受信された属性情報送信部生成情報３７に基づいて、属性情報受信部１２ａの送信情報生成部２６は、属性情報受信部生成情報３８を生成する。この属性情報受信部生成情報３８は、属性情報送信部１１ａの属性情報送信部ＩＤ「１」、属性情報受信部１２ａの属性情報受信部ＩＤ「５」、接続時刻「１０：１０」が対応付けられたものとなる。
【００４７】
この属性情報受信部生成情報３８は、属性情報受信部１２ａの送信部２７によって送信される。このとき、属性情報受信部１２ａの表示部２８には、属性情報受信部１２ａが属性情報受信部生成情報３８を送信中である旨が表示される。
【００４８】
送信された属性情報受信部生成情報３８は、存在位置管理部１４の受信部３１に受信される。この属性情報受信部生成情報３８と位置管理情報とに基づいて、存在位置管理部１４の存在位置決定部３２は、存在位置管理情報を生成する。この存在位置管理情報は、Ｅエリア２の位置ＩＤ「１」に、属性情報送信部１１ａの属性情報送信部ＩＤ「１」と接続時刻「１０：１０」とが対応付けられたものとなる。この段階で、属性情報送信部１１ａ近傍の監視対象１０の位置と検出時刻とが把握される。この存在位置管理情報は、第３記憶部３３の最上段に記憶される。
【００４９】
この存在位置管理情報と設備位置管理情報とに基づいて、存在位置管理部１４の関連付け決定部３４は、関連付け管理情報を生成する。このとき、関連付け管理情報は２つ生成される。具体的には、関連付け管理情報の一方は、属性情報送信部１１ａの属性情報送信部ＩＤ「１」、接続時刻「１０：１０」に、空調装置５の設備ＩＤ「１」が対応付けられたものとなる。関連付け管理情報の他方は、属性情報送信部１１ａの属性情報送信部ＩＤ「１」、接続時刻「１０：１０」に、照明装置６の設備ＩＤ「３」が対応付けられたものとなる。これらの関連付け管理情報は、それぞれ、第４記憶部３５の最上段と最上段の直下とに記憶される。
【００５０】
次に、１１時１０分に、属性情報送信部１１ｂ近傍の監視対象１０の位置を把握する場合を説明する。この場合、存在位置管理情報は、Ｗエリア３の位置ＩＤ「３」に、属性情報送信部１１ｂの属性情報送信部ＩＤ「２」と接続時刻「１１：１０」とが対応付けられたものとなる。この存在位置管理情報は、第３記憶部３３の上から２段目に記憶される。
【００５１】
その結果、関連付け管理情報の一方は、属性情報送信部１１ｂの属性情報送信部ＩＤ「２」、接続時刻「１１：１０」に、空調装置８の設備ＩＤ「２」が対応付けられたものとなる。関連付け管理情報の他方は、属性情報送信部１１ｂの属性情報送信部ＩＤ「２」、接続時刻「１１：１０」に、照明装置９の設備ＩＤ「４」が対応付けられたものとなる。これらの関連付け管理情報は、それぞれ、第４記憶部３５の上から３段目と４段目とに記憶される。
【００５２】
次に、１２時００分に、属性情報送信部１１ｃ近傍の監視対象１０の位置を把握する場合を説明する。この場合、存在位置管理情報は、Ｗエリア３の位置ＩＤ「３」に、属性情報送信部１１ｃの属性情報送信部ＩＤ「３」と接続時刻「１２：００」とが対応付けられたものとなる。この存在位置管理情報は、第３記憶部３３の上から３段目に記憶される。
【００５３】
その結果、関連付け管理情報の一方は、属性情報送信部１１ｃの属性情報送信部ＩＤ「３」、接続時刻「１２：００」に、空調装置８の設備ＩＤ「２」が対応付けられたものとなる。関連付け管理情報の他方は、属性情報送信部１１ｃの属性情報送信部ＩＤ「３」、接続時刻「１２：００」に、照明装置９の設備ＩＤ「４」が対応付けられたものとなる。これらの関連付け管理情報は、それぞれ、第４記憶部３５の上から５段目と６段目とに記憶される。
【００５４】
以上で説明した実施の形態１によれば、既知の位置に既知の大きさを持つ既知のエリアを設定し、無線標識の使用や電波の到着時刻・強度の分析をすることなく、エリア内に存在する監視対象１０を検知する。また、互いに同じエリア内にある属性情報送信部１１ａ等と環境調整機器４等の属性情報が対応付けられる。このため、簡単かつ安価な構成で、煩雑な作業となる監視対象１０と環境調整機器４等との関連付けを不要とすることができる。これにより、監視対象１０近傍の環境調整機器４等を容易に把握することができる。
【００５５】
さらに、属性情報送信部１１ａ等と環境調整機器４等の属性情報との対応付けは、属性情報送信部１１ａ等の位置の検出時刻と対応付けられる。このため、属性情報送信部１１ａ等が監視対象１０の移動に追従して移動するタグ等であれば、監視対象１０の移動を把握することができる。
【００５６】
加えて、属性情報送信部１１ａ等の操作部１９が操作されていない場合は、属性情報送信部生成情報の送信は停止される。そして、属性情報送信部１１ａ等の操作部１９が操作された場合は、属性情報送信部生成情報が送信される。このため、属性情報送信部１１ａ等が監視対象１０の移動に追従して移動するタグ等である場合、不要な存在位置管理情報の記憶を防止することができる。
【００５７】
また、属性情報送信部１１ａ等には、属性情報送信部生成情報を送信中である旨が表示される。さらに、属性情報受信部１２ａ等には、属性情報送信部生成情報を受信中である旨や属性情報受信部生成情報を送信中である旨が表示される。このため、属性情報送信部１１ａ等の操作者は、属性情報送信部１１ａ等や属性情報受信部１２ａ等の動作状態を確認することができる。
【００５８】
なお、実施の形態１においては、属性情報受信部１２ａ、１２ｂの各々で時刻を管理していた。しかしながら、存在位置管理部１４で時刻を管理してもよい。この場合、属性情報受信部１２ａ、１２ｂの各々に複数の時刻管理部２４を設ける必要がなくなり、安価なシステムを構成することができる。
【００５９】
実施の形態２．
図３はこの発明の実施の形態２における存在位置検出システムの構成図である。なお、実施の形態１と同一又は相当部分には同一符号を付して説明を省略する。
【００６０】
実施の形態１においては、同じエリア内の空調装置５等と照明装置６等とに近接して、１つの属性情報受信部１２ａ等が設けられていた。一方、実施の形態２においては、同じエリア内の空調装置３９と照明装置４０とに対し、それぞれ、１つの属性情報受信部４１が近接して設けられている。
【００６１】
なお、本実施の形態においては、監視対象１０の各々に近接して、属性情報送信部１１ｄ〜１１ｉが設けられる。本実施の形態においても、監視対象１０近傍の属性情報送信部１１ｄ等を操作すれば、監視対象１０の位置が把握される。また、監視対象１０に対し、空調装置３９や照明装置４０が対応付けられる。
【００６２】
以上で説明した実施の形態２によれば、実施の形態１と同様の効果を得ることができる。また、同じエリア内の空調装置３９と照明装置４０の一方に対応付けられた属性情報受信部４１が故障しても、空調装置３９と照明装置４０の他方を利用して、監視対象１０の位置を把握することができる。
【００６３】
実施の形態３．
図４はこの発明の実施の形態３における存在位置検出システムの概要を説明するためのブロック図である。なお、実施の形態１と同一又は相当部分には同一符号を付して説明を省略する。
【００６４】
実施の形態１においては、属性情報送信部１１ａ等により送信された属性情報送信部生成情報が１つの属性情報受信部１２ａ等に受信される場合について説明した。一方、実施の形態３においては、属性情報送信部１１ｊにより送信された属性情報送信部生成情報が隣接した２つの属性情報受信部１２ｂ、１２ｃに受信される場合について説明する。
【００６５】
図４に示すように、実施の形態３においては、属性情報受信部１２ａ、１２ｂの他、属性情報受信部１２ｃも配置される。この属性情報受信部１２ｃは、例えば、Ａ棟第１０フロア第１部屋のＣＷエリア（図示せず）に設けられる。このＣＷエリアは、実施の形態１のＷエリア３と隣接している。
【００６６】
図４においては、属性情報送信部１１ｊは、ＣＷエリアとＷエリア３との境界に配置される。このため、属性情報送信部１１ｊにより送信された属性情報送信部生成情報は、属性情報受信部１２ｂ、１２ｃの双方に受信される。この場合、存在位置管理部１４は、ＣＷエリアとＷエリア３内の環境調整機器（図示せず）の設備ＩＤに、属性情報送信部１１ｊにより送信された属性情報送信部ＩＤを対応付ける。
【００６７】
以上で説明した実施の形態３によれば、監視対象（図示せず）近傍で隣接した複数のエリアの環境調整機器を把握することができる。このため、適切に環境調整を行うことができる。
【００６８】
なお、実施の形態３においては、２つのエリアが隣接していた。しかしながら、隣接したエリアを２つに限定する必要はない。例えば、ＣＷエリアとＥエリアとの双方に隣接する他のエリアがあれば、監視対象近傍で隣接した３つのエリアの環境調整機器を把握することができる。
【符号の説明】
【００６９】
１  部屋、  ２  Ｅエリア、  ３  Ｗエリア、  ４  環境調整機器、  ５  空調装置、
６  照明装置、  ７  環境調整機器、  ８  空調装置、  ９  照明装置、
１０  監視対象、  １１ａ〜１１ｊ  属性情報送信部、
１２ａ〜１２ｄ  属性情報受信部、  １３  通信路  １４  存在位置管理部、
１５  通信路、  １６  センサ装置、  １７  コントローラ、  １８  記憶部、
１９  操作部、  ２０  送信情報生成部、  ２１  送信部、  ２２  表示部、
２３  記憶部、  ２４  時刻管理部、  ２５  受信部、  ２６  送信情報生成部、
２７  送信部、  ２８  表示部、  ２９  第１記憶部、  ３０  第２記憶部、
３１  受信部、  ３２  存在位置決定部、  ３３  第３記憶部、
３４  関連付け決定部、  ３５  第４記憶部、  ３６  時刻同期部、
３７  属性情報送信部生成情報、  ３８  属性情報受信部生成情報、  ３９  空調装置、４０  照明装置、  ４１  属性情報受信部
【図１】
2012021661.tif 000003
【図２】
2012021661.tif 000004
【図３】
2012021661.tif 000005
【図４】
2012021661.tif 000006